(57)【特許請求の範囲】
【請求項１】
上部に駆動軸が回転自在に配設される本体と、前記本体に垂直に取り付けられ、下部に搾り汁排出口及び搾りカス排出口が隔設され、上面が開放されたハウジングと、前記ハウジングの開放された上面を覆うように取り付けられ、上部の一方の側に材料投入口が形成された蓋体と、前記ハウジングの内部に取り付けられ、上面が開放され、側壁の一部に多数の網目が形成された網ドラムと、前記ハウジングの内壁と前記網ドラムの外壁との間に取り付けられ、上下面が開放され、前記網ドラムの外壁を掃き清める網ブラシを有する回転ブラシと、下部に前記駆動軸が嵌め込まれる駆動軸孔が形成されて前記本体に回転自在に取り付けられ、前記網ドラムの内部に配置され、外面に螺旋が形成されたスクリューと、を備えるが、前記スクリューの上部にスクリュー係合突起またはスクリュー係合溝が形成され、前記回転ブラシの上部に回転ブラシ係合溝または回転ブラシ係合突起が形成されて、前記スクリュー係合突起と前記回転ブラシ係合溝とが係合するか、あるいは、前記スクリュー係合溝と前記回転ブラシ係合突起とが係合することにより、前記スクリューの回転につれて前記回転ブラシも回転することを特徴とする果汁搾り装置。
【請求項２】
前記スクリューの上部にリング状のスクリューフレームが形成され、前記スクリュー係合突起または前記スクリュー係合溝は前記スクリューフレームの下端に形成されることを特徴とする請求項１に記載の果汁搾り装置。
【請求項３】
前記回転ブラシの上部にリング状の回転ブラシフレームが形成され、前記回転ブラシ係合溝または前記回転ブラシ係合突起は前記回転ブラシフレームの上端に形成されることを特徴とする請求項１または請求項２に記載の果汁搾り装置。
【請求項４】
前記回転ブラシは、側壁の一部が開放されたブラシ本体と、前記ブラシ本体の内壁に配置されるが、前記ブラシ本体の上部と前記スクリューの回転方向を基準として前方に傾くように配置されて、前記網ドラムの外壁を掃き清める多数の網ブラシと、を備えることを特徴とする請求項１または請求項２に記載の果汁搾り装置。
【請求項５】
上部に駆動軸が回転自在に配設される本体と、前記本体に垂直に取り付けられ、下部に搾り汁排出口及び搾りカス排出口が隔設され、上面が開放されたハウジングと、前記ハウジングの開放された上面を覆うように取り付けられ、上部の一方の側に材料投入口が形成された蓋体と、前記ハウジングの内部に取り付けられ、上面が開放され、側壁の一部に多数の網目が形成された網ドラムと、前記ハウジングの内壁と前記網ドラムの外壁との間に取り付けられ、上下面が開放され、前記網ドラムの外壁を掃き清める網ブラシを有する回転ブラシと、前記網ドラムの上部の外側を取り囲んでリング状に形成され、前記回転ブラシの上端に載置される回転フレームと、下部に前記駆動軸が嵌め込まれる駆動軸孔が形成されて前記本体に回転自在に取り付けられ、前記網ドラムの内部に配置され、外面に螺旋が形成されたスクリューと、を備えるが、前記スクリューの上部にスクリュー係合突起またはスクリュー係合溝が形成され、前記回転フレームの上部に第１の回転フレーム係合溝または第１の回転フレーム係合突起が形成されて、前記スクリュー係合突起と前記第１の回転フレーム係合溝とが係合するか、あるいは、前記スクリュー係合溝と前記第１の回転フレーム係合突起とが係合し、前記回転フレームの下部に第２の回転フレーム係合突起または第２の回転フレーム係合溝が形成され、前記回転ブラシの上部に回転ブラシ係合溝または回転ブラシ係合突起が形成されて、前記第２の回転フレーム係合突起と前記回転ブラシ係合溝とが係合するか、あるいは、前記第２の回転フレーム係合溝と前記回転ブラシ係合突起とが係合することにより、前記スクリューの回転につれて前記回転フレーム及び前記回転ブラシも回転することを特徴とする果汁搾り装置。
【請求項６】
上部に駆動軸が回転自在に配設される本体と、前記本体に垂直に取り付けられ、下部に搾り汁排出口及び搾りカス排出口が隔設され、上面が開放されたハウジングと、前記ハウジングの開放された上面を覆うように取り付けられ、上部の一方の側に材料投入口が形成された蓋体と、前記ハウジングの内部に取り付けられ、上面が開放され、側壁の一部に多数の網目が形成された網ドラムと、前記ハウジングの内壁と前記網ドラムの外壁との間に取り付けられ、上下面が開放され、前記網ドラムの外壁を掃き清める網ブラシを有する回転ブラシと、下部に前記駆動軸が嵌め込まれる駆動軸孔が形成されて前記本体に回転自在に取り付けられ、前記網ドラムの内部に配置され、外面に螺旋が形成されたスクリューと、を備えるが、前記スクリューには、スクリューの上端の中心に形成された上部回転軸に対して半径方向に延びる延在部が形成され、前記延在部と前記回転ブラシとが係合されて前記スクリューの回転につれて前記回転ブラシも回転することを特徴とする果汁搾り装置 。
【請求項７】
前記スクリューの延在部にスクリュー係合突起またはスクリュー係合溝が形成され、前記回転ブラシの上部に回転ブラシ係合溝または回転ブラシ係合突起が形成されて、前記スクリュー係合突起と前記回転ブラシ係合溝とが係合するか、あるいは、前記スクリュー係合溝と前記回転ブラシ係合突起とが係合することにより、前記スクリューの回転につれて前記回転ブラシも回転することを特徴とする請求項６に記載の果汁搾り装置。
【請求項８】
前記スクリューの延在部にはリング状のスクリューフレームが形成され、前記スクリュー係合突起または前記スクリュー係合溝は前記スクリューフレームの下端に形成されることを特徴とする請求項７に記載の果汁搾り装置。
【請求項９】
前記回転ブラシの上部にはリング状の回転ブラシフレームが形成され、前記回転ブラシ係合溝または前記回転ブラシ係合突起は前記回転ブラシフレームの上端に形成されることを特徴とする請求項７または請求項８に記載の果汁搾り装置。
【請求項１０】
前記網ドラムの上部の外側を取り囲んでリング状に形成され、前記回転ブラシの上端に載置される回転フレームをさらに備え、前記スクリューの延在部にスクリュー係合突起またはスクリュー係合溝が形成され、前記回転フレームの上部には第１の回転フレーム係合溝または第１の回転フレーム係合突起が形成されて、前記スクリュー係合突起と前記第１の回転フレーム係合溝とが係合するか、あるいは、前記スクリュー係合溝と前記第１の回転フレーム係合突起とが係合し、前記回転フレームの下部に第２の回転フレーム係合突起または第２の回転フレーム係合溝が形成され、前記回転ブラシの上部に回転ブラシ係合溝または回転ブラシ係合突起が形成されて、前記第２の回転フレーム係合突起と前記回転ブラシ係合溝とが係合するか、あるいは、前記第２の回転フレーム係合溝と前記回転ブラシ係合突起とが係合することにより、前記スクリューの回転につれて前記回転フレーム及び前記回転ブラシも回転することを特徴とする請求項６に記載の果汁搾り装置。
【請求項１１】
前記回転ブラシは、側壁の一部が開放されたブラシ本体と、前記ブラシ本体の内壁に配置されるが、前記ブラシ本体の上部及び前記スクリューの回転方向を基準として前方に傾くように配置されて、前記網ドラムの外壁を掃き清める多数の網ブラシと、を備えることを特徴とする請求項６に記載の果汁搾り装置。
【請求項１２】
前記ハウジングの底面には前記搾りカス排出口と連通された搾りカス下降孔が形成され、前記網ドラムの下面が開放されて前記搾りカス下降孔は前記スクリューの下面に直接的に臨むように形成されることを特徴とする請求項１、請求項５または請求項６のいずれかに記載の果汁搾り装置。
【請求項１３】
前記ハウジングの底面には、底面の所定の個所から始まって前記搾りカス下降孔で終わり、円弧状に形成されて、スクリューの回転につれて搾りカス下降孔に搾りカスを導く搾りカス排出傾斜面が形成されることを特徴とする請求項１２に記載の果汁搾り装置。
【請求項１４】
前記搾りカス排出傾斜面は、搾りカス下降孔に進むにつれて次第に深さは深くなるとともに幅は広くなるように形成されることを特徴とする請求項１３に記載の果汁搾り装置 。
【請求項１５】
前記スクリューの下面には排出爪が形成された円形の排出リングが配設されて前記排出リングが前記搾りカス排出傾斜面に臨むように形成されることを特徴とする請求項１３に記載の果汁搾り装置。
【請求項１６】
前記回転ブラシは上部から下部に亘って網ドラムの外壁からの離隔距離が等しくなる形状を有して、前記網ブラシが網ドラムの外壁を掃き清める際に網ドラムの外壁の上部から下部に亘って均一な弾力にて掃き清めるように構成されることを特徴とする請求項１、請求項２、請求項５、請求項６、請求項７、請求項８、請求項１０または請求項１１のいずれかに記載の果汁搾り装置。
【請求項１７】
前記回転ブラシは上部よりも下部において前記網ドラム外壁からの離隔距離が短くなる形状を有して、前記網ブラシが網ドラムの外壁を掃き清める際に網ドラムの外壁の下部を上部よりもさらに強い弾力にて掃き清めるように構成されることを特徴とする請求項１、請求項２、請求項５、請求項６、請求項７、請求項８、請求項１０または請求項１１のいずれかに記載の果汁搾り装置 。
【請求項１８】
前記回転ブラシは、上面から下面に進むにつれて狭くなる上広下狭の形状を呈し、網ドラムの上面の外径が前記回転ブラシの下面の内径よりも大きく形成されることを特徴とする請求項１、請求項２、請求項５、請求項６、請求項７、請求項８、請求項１０または請求項１１のいずれかに記載の果汁搾り装置。
【請求項１９】
前記回転ブラシは上広下狭の形状を呈し、前記網ドラムを回転ブラシの上側から回転ブラシの内部に押し込むことはできるものの、回転ブラシを網ドラムの上側から網ドラムの外部を取り囲むように押し込むことはできないように構成されることを特徴とする請求項１、 請求項２、請求項５、請求項６、請求項７、請求項８、請求項１０または請求項１１のいずれかに記載の果汁搾り装置。
【発明の詳細な説明】
【技術分野】
【０００１】
本発明は、回転ブラシをスクリューにより直接的に回転させることにより、ギアなどの部品の破損や磨耗による故障率を下げることができ、組み立てやすく、使用しやすい他、部品を手軽に掃除することができるので常に清潔且つ衛生的に使用することができ、搾りカス（残滓）が円滑に排出されて搾汁しやすく、搾り汁中に搾りカスが混入しないので搾り汁の品質を向上させることのできる果汁搾り装置に関する。
【背景技術】
【０００２】
昨今の健康ブームに伴い、市中に完製品として流通しているジュースや豆乳などの飲料に添加される各種の添加物の有害性に関する論難が続いており、健康な生活を送るべく、家庭で自ら野菜や果物、穀物などを購入して搾り立ての生ジュースや青汁を飲む人が多くなってきた。この理由から、家庭用ジューサーの持続的な開発が行われている。
【０００３】
さらに、このような家庭用ジューサーを用いて生ジュースや青汁を繰り返して作ろうとすれば、随時に機器を解体し、網目に詰まった搾りカスを取り除くための洗浄を行わなければいけないという煩わしさがあった。しかも、粘度の高いキーウィやイチゴなどのような果物から搾り出された搾り汁は流下しにくいためジュースを作ることは非常に困難であった。
【０００４】
上記の問題点を解消するために、搾汁ジューサーが提案されている（例えば、下記の特許文献１参照）。
【０００５】
同公報には、網目に詰まった搾りカスを持続的に取り除き、粘度の高い搾り汁を流下しやすくするために網の外壁を持続的に掃き清める回転ブラシを取り付けることを特徴とする搾汁ジューサーが開示されている。
【０００６】
しかしながら、上記の公報に記載の搾汁ジューサーは、回転ブラシを回転させるためにスクリューの下側にスクリューギアを形成し、ハウジングの底面には中間ギアを取り付け、回転ブラシホルダーの下部には回転ブラシギアを形成して、これらが噛み合って回転するような複雑な構造を採択している。
【０００７】
ところが、このような複雑なギアの噛合構造を有する搾汁ジューサーを長期に亘って使用すると、下記の問題点が招かれてしまう。
【０００８】
先ず、第一に、ギアの磨耗や破損などによる機器の故障率が高く、３種類のギアが同時に且つ正確に噛み合って回転するように組み立てることが決して容易ではない。
【０００９】
第二に、ジューサーのように食品を加工する食品加工器は、食材が接触するジューサーの内部の清潔性を維持することが非常に重要であるが、上記の公報に記載の搾汁ジューサーは、ギア溝に垢が溜まり、このように溜まった垢は取り除きにくい。
【００１０】
特に、ハウジングの底面に固定されている中間ギアは取り外せないため、隙間に詰まった微細な搾りカスや垢は取り除きにくいため清潔性を維持することが非常に困難である。
【００１１】
これにより、上記の問題点を解消するために、回転ブラシを回転させる方式におけるギアの噛合による回転動力の伝達構造を脱却して果汁搾り装置を円滑に作動させる根本的な改善が持続的に望まれるのが現状である。
【先行技術文献】
【特許文献】
【００１２】
【特許文献１】大韓民国登録特許第０７５５４４０号
【発明の概要】
【発明が解決しようとする課題】
【００１３】
本発明は上述した問題を解消するために案出されたものであり、複雑なギアの噛合構造による回転動力の伝達構造を脱却して故障率を下げ、組立て性を向上させて生産性及び使い勝手を高めて機器の清潔性及び衛生性を改善し、さらに、搾りカスが円滑に排出されて搾汁しやすい他、搾り汁の品質まで向上することにより果汁搾り装置としての基本的な性能までも改善し、網ドラム及び回転ブラシの組立てが手軽に行えるので使い勝手が向上した果汁搾り装置を提供するところにその目的がある。
【課題を解決するための手段】
【００１４】
本発明に係る果汁搾り装置は、上部に駆動軸が回転自在に配設される本体と、前記本体に垂直に取り付けられ、下部に搾り汁排出口及び搾りカス排出口が隔設され、上面が開放されたハウジングと、前記ハウジングの開放された上面を覆うように取り付けられ、上部の一方の側に材料投入口が形成された蓋体と、前記ハウジングの内部に取り付けられ、上面が開放され、側壁の一部に多数の網目が形成された網ドラムと、前記ハウジングの内壁と前記網ドラムの外壁との間に取り付けられ、上下面が開放され、前記網ドラムの外壁を掃き清める網ブラシを有する回転ブラシと、下部に前記駆動軸が嵌め込まれる駆動軸孔が形成されて前記本体に回転自在に取り付けられ、前記網ドラムの内部に配置され、外面に螺旋が形成されたスクリューと、を備えるが、前記スクリューの上部にスクリュー係合突起またはスクリュー係合溝が形成され、前記回転ブラシの上部に回転ブラシ係合溝または回転ブラシ係合突起が形成されて、前記スクリュー係合突起と前記回転ブラシ係合溝とが係合するか、あるいは、前記スクリュー係合溝と前記回転ブラシ係合突起とが係合することにより、前記スクリューの回転につれて前記回転ブラシも回転することを特徴とする。
【００１５】
本発明の一実施形態として、前記スクリューの上部にリング状のスクリューフレームが形成され、前記スクリュー係合突起または前記スクリュー係合溝は前記スクリューフレームの下端に形成される。
【００１６】
本発明の他の実施形態として、前記回転ブラシの上部にリング状の回転ブラシフレームが形成され、前記回転ブラシ係合溝または前記回転ブラシ係合突起は前記回転ブラシフレームの上端に形成される。
【００１７】
本発明のさらに他の実施形態として、前記回転ブラシは、側壁の一部が開放されたブラシ本体と、前記ブラシ本体の内壁に配置されるが、前記ブラシ本体の上部と前記スクリューの回転方向を基準として前方に傾くように配置されて、前記網ドラムの外壁を掃き清める多数の網ブラシと、を備える。
【００１８】
本発明のさらに他の実施形態として、本発明に係る果汁搾り装置は、上部に駆動軸が回転自在に配設される本体と、前記本体に垂直に取り付けられ、下部に搾り汁排出口及び搾りカス排出口が隔設され、上面が開放されたハウジングと、前記ハウジングの開放された上面を覆うように取り付けられ、上部の一方の側に材料投入口が形成された蓋体と、前記ハウジングの内部に取り付けられ、上面が開放され、側壁の一部に多数の網目が形成された網ドラムと、前記ハウジングの内壁と前記網ドラムの外壁との間に取り付けられ、上下面が開放され、前記網ドラムの外壁を掃き清める網ブラシを有する回転ブラシと、前記網ドラムの上部の外側を取り囲んでリング状に形成され、前記回転ブラシの上端に載置される回転フレームと、下部に前記駆動軸が嵌め込まれる駆動軸孔が形成されて前記本体に回転自在に取り付けられ、前記網ドラムの内部に配置され、外面に螺旋が形成されたスクリューと、を備えるが、前記スクリューの上部にスクリュー係合突起またはスクリュー係合溝が形成され、前記回転フレームの上部に第１の回転フレーム係合溝または第１の回転フレーム係合突起が形成されて、前記スクリュー係合突起と前記第１の回転フレーム係合溝とが係合するか、あるいは、前記スクリュー係合溝と前記第１の回転フレーム係合突起とが係合し、前記回転フレームの下部に第２の回転フレーム係合突起または第２の回転フレーム係合溝が形成され、前記回転ブラシの上部に回転ブラシ係合溝または回転ブラシ係合突起が形成されて、前記第２の回転フレーム係合突起と前記回転ブラシ係合溝とが係合するか、あるいは、前記第２の回転フレーム係合溝と前記回転ブラシ係合突起とが係合することにより、前記スクリューの回転につれて前記回転フレーム及び前記回転ブラシも回転することを特徴とする。
【００１９】
本発明に係る果汁搾り装置は、上部に駆動軸が回転自在に配設される本体と、前記本体に垂直に取り付けられ、下部に搾り汁排出口及び搾りカス排出口が隔設され、上面が開放されたハウジングと、前記ハウジングの開放された上面を覆うように取り付けられ、上部の一方の側に材料投入口が形成された蓋体と、前記ハウジングの内部に取り付けられ、上面が開放され、側壁の一部に多数の網目が形成された網ドラムと、前記ハウジングの内壁と前記網ドラムの外壁との間に取り付けられ、上下面が開放され、前記網ドラムの外壁を掃き清める網ブラシを有する回転ブラシと、下部に前記駆動軸が嵌め込まれる駆動軸孔が形成されて前記本体に回転自在に取り付けられ、前記網ドラムの内部に配置され、外面に螺旋が形成されたスクリューと、を備えるが、前記スクリューには、スクリューの上端の中心に形成された上部回転軸に対して半径方向に延びる延在部が形成され、前記延在部と前記回転ブラシとが係合されて前記スクリューの回転につれて前記回転ブラシも回転することを特徴とする。
【００２０】
本発明のさらに他の実施形態として、前記スクリューの延在部にスクリュー係合突起またはスクリュー係合溝が形成され、前記回転ブラシの上部に回転ブラシ係合溝または回転ブラシ係合突起が形成されて、前記スクリュー係合突起と前記回転ブラシ係合溝とが係合するか、あるいは、前記スクリュー係合溝と前記回転ブラシ係合突起とが係合することにより、前記スクリューの回転につれて前記回転ブラシも回転する。
【００２１】
本発明のさらに他の実施形態として、前記スクリューの延在部にはリング状のスクリューフレームが形成され、前記スクリュー係合突起または前記スクリュー係合溝は前記スクリューフレームの下端に形成される。
【００２２】
本発明のさらに他の実施形態として、前記回転ブラシの上部にはリング状の回転ブラシフレームが形成され、前記回転ブラシ係合溝または前記回転ブラシ係合突起は前記回転ブラシフレームの上端に形成される。
【００２３】
本発明のさらに他の実施形態として、本発明に係る果汁搾り装置は、前記網ドラムの上部の外側を取り囲んでリング状に形成され、前記回転ブラシの上端に載置される回転フレームをさらに備え、前記スクリューの延在部にスクリュー係合突起またはスクリュー係合溝が形成され、前記回転フレームの上部には第１の回転フレーム係合溝または第１の回転フレーム係合突起が形成されて、前記スクリュー係合突起と前記第１の回転フレーム係合溝とが係合するか、あるいは、前記スクリュー係合溝と前記第１の回転フレーム係合突起とが係合し、前記回転フレームの下部に第２の回転フレーム係合突起または第２の回転フレーム係合溝が形成され、前記回転ブラシの上部に回転ブラシ係合溝または回転ブラシ係合突起が形成されて、前記第２の回転フレーム係合突起と前記回転ブラシ係合溝とが係合するか、あるいは、前記第２の回転フレーム係合溝と前記回転ブラシ係合突起とが係合することにより、前記スクリューの回転につれて前記回転フレーム及び前記回転ブラシも回転することを特徴とする。
【００２４】
本発明のさらに他の実施形態として、前記回転ブラシは、側壁の一部が開放されたブラシ本体と、前記ブラシ本体の内壁に配置されるが、前記ブラシ本体の上部及び前記スクリューの回転方向を基準として前方に傾くように配置されて、前記網ドラムの外壁を掃き清める多数の網ブラシと、を備える。
【００２５】
本発明に係る果汁搾り装置は、前記ハウジングの底面には前記搾りカス排出口と連通された搾りカス下降孔が形成され、前記網ドラムの下面が開放されて前記搾りカス下降孔は前記スクリューの下面に直接的に臨むように形成される。
【００２６】
本発明の一実施形態として、前記ハウジングの底面には、底面の所定の個所から始まって前記搾りカス下降孔で終わり、円弧状に形成されて、スクリューの回転につれて搾りカス下降孔に搾りカスを導く搾りカス排出傾斜面が形成される。
【００２７】
前記搾りカス排出傾斜面は、搾りカス下降孔に進むにつれて次第に深さは深くなるとともに幅は広くなるように形成されることが好ましい。
【００２８】
本発明の一実施形態として、前記スクリューの下面には排出爪が形成された円形の排出リングが配設されて前記排出リングが前記搾りカス排出傾斜面に臨むように形成される。
【００２９】
本発明の他の実施形態として、前記回転ブラシは上部から下部に亘って網ドラムの外壁からの離隔距離が等しくなる形状を有して、前記網ブラシが網ドラムの外壁を掃き清める際に網ドラムの外壁の上部から下部に亘って均一な弾力にて掃き清めるように構成される。
【００３０】
本発明のさらに他の実施形態として、前記回転ブラシは上部よりも下部において前記網ドラム外壁からの離隔距離が短くなる形状を有して、前記網ブラシが網ドラムの外壁を掃き清める際に網ドラムの外壁の下部を上部よりもさらに強い弾力にて掃き清めるように構成される。
【００３１】
好ましくは、前記回転ブラシは、上面から下面に進むにつれて狭くなる上広下狭の形状を呈し、網ドラムの上面の外径が前記回転ブラシの下面の内径よりも大きく形成される。
【００３２】
さらに好ましくは、前記回転ブラシは上広下狭の形状を呈し、前記網ドラムを回転ブラシの上側から回転ブラシの内部に押し込むことはできるものの、回転ブラシを網ドラムの上側から網ドラムの外部を取り囲むように押し込むことはできないように構成される。
【発明の効果】
【００３３】
本発明に係る果汁搾り装置によれば、下記の効果が得られる。
【００３４】
スクリューと回転ブラシとが簡単な構造により直接的に係合されてスクリューの回転につれて回転ブラシも回転するようにすることにより、回転ブラシを回転させるために中間ギアなどを使用する従来のジューサーよりも組み立てられる部品の点数を大幅に低減することができる。
【００３５】
また、スクリューにより回転ブラシを直接的に回転させることにより、複雑なギアの噛合構造ではないため、ギアなどの部品の破損や磨耗による故障率を下げることができる。
【００３６】
さらに、部品の形状が複雑ではなく単純であるため、部品の組立てに際してギアとギアがずれることなく噛み合うように組み立てなければならないという煩わしさがなく、手軽に組み立てることができてユーザーの使い勝手を向上させることができる。
【００３７】
さらにまた、スクリューの下部に形成されたギア構造と、ハウジングの底面に固定される中間ギアと、回転ブラシホルダーの下部に形成されたギアなどがなくなるので部品の形状が簡潔であり、しかも、部品を手軽に掃除することができるので常に衛生的に且つ清潔に果汁搾り装置を使用することができる。
【００３８】
特に、本発明によれば、スクリューの両端が回転ブラシと係合されて回転ブラシを大きなトルクにて回転させることができる。
【００３９】
また、本発明の網ドラムは、上面から下面に進むにつれて狭くなり、且つ、上面の外径が前記回転ブラシの下面の内径よりも大きな形状を呈するので、網ドラムを回転ブラシの上面から回転ブラシの下面の方向に回転ブラシに連結し、回転スクリューの前記方向に本体の駆動軸に連結することにより、回転ブラシと網ドラム及び回転スクリューがこの順に組み立てられるので組立てが容易である。
【００４０】
さらに、網ドラムの開放された下面を介して排出された搾りカスがスクリューの下面に直接的に臨んでいるハウジングの底面の搾りカス下降孔に排出されるので、搾りカスの排出が円滑であり、搾汁し易い他、搾りカス下降孔がスクリューに直接的に臨むことにより別途の圧力排出路が不要になり、その結果、圧力排出路を介して搾り汁中に搾りカスが混入しないので搾り汁の品質を向上させることができる。
【００４１】
このような発明の効果は、発明者が認知するか否かを問わずに発明の構成により当然のことながら発揮されるものである。よって、上述した効果は本発明に係るいくつかの効果に過ぎず、発明者が把握したまたは実際に存在するあらゆる効果を記載したものと認められてはならない。本発明の効果は明細書の全体的な記載により追加的に把握されなければならず、たとえ明示的な文章として記載されていないとしても、本発明が属する技術分野において通常の知識を有する者が本明細書を通じてそのような効果があると認め得る効果であれば、本明細書に記載の効果であるとみなすべきである。
【図面の簡単な説明】
【００４２】
【図１】本発明の第１の実施形態による果汁搾り装置を示す分解斜視図である。
【図２】図１のスクリューと網ドラム及び回転ブラシが組み立てられた状態を示す斜視図である。
【図３】図１の全ての構成要素が組み立てられた状態を示す断面図である。
【図４】本発明の第２の実施形態による果汁搾り装置を示す分解斜視図である。
【図５】図４のスクリューと網ドラム及び回転ブラシが組み立てられた状態を示す斜視図である。
【図６】図４の全ての構成要素が組み立てられた状態を示す断面図である。
【図７】本発明の第３の実施形態による果汁搾り装置を示す分解斜視図である。
【図８】図７のスクリューと網ドラム及び回転ブラシが組み立てられた状態を示す斜視図である。
【図９】図７の全ての構成要素が組み立てられた状態を示す断面図である。
【図１０】本発明のハウジングを示す平面図である。
【発明を実施するための形態】
【００４３】
以下、添付図面に基づき、本発明の好適な実施形態に係る果汁搾り装置について詳述する。 なお、本明細書および特許請求の範囲に用いられる用語は、通常的または辞書的な意味に限定して解釈されてはならず、発明者は、自身の発明を最も最良の方法により説明するために用語の概念を適法的に定義することができるという原則を踏まえて、本発明の技術的思想に当てはまる意味および概念として解釈されるべきである。
【００４４】
したがって、本明細書に記載の実施形態及び図示の構成は本発明の最良の実施形態に過ぎず、本発明の技術的思想全てを代弁するものではないため、本出願時点においてこれらに代えうる種々の均等物及び変形例がありうるということが理解されるべきである。
【００４５】
図１に示すように、本発明の第１の実施形態による果汁搾り装置は、蓋体１００と、スクリュー２００と、網ドラム３００と、回転ブラシ４００と、ハウジング５００及び本体（図示せず）を備える。
【００４６】
先ず、本体（図示せず）は、従来の技術の欄において提示した公報に開示されているためこの明細書においてはその図面を省略し、本体の上部には後述するスクリュー２００の駆動軸孔２３０に嵌め込まれる駆動軸が上部に突出されている。
【００４７】
駆動軸は、本体内に配設されたモーター（図示せず）及び減速器（図示せず）に接続されて低速にて回転し、スクリュー２００の下部回転軸２４０と係合してスクリュー２００を低速にて回転させる。すなわち、本発明において用いられる減速器は、モーターの回転速度を減速させる役割を果たす。
【００４８】
ハウジング５００は本体に垂直に取り付けられ、スクリュー２００及び網ドラム３００を収容するものであり、上面が開放されており、上部は広くて下部は狭い上広下狭の形状を呈し、上部から下部に進むにつれて次第に狭くなる。
【００４９】
このようなハウジング５００の上端の内部面には複数の結着突起５１０が形成されており、下端の外面には搾り汁排出口５６０及びハウジング底面に形成された搾りカス下降孔５８０に連通された搾りカス排出口５７０がそれぞれ隔設されている。この実施形態において、搾り汁排出口５６０及び搾りカス排出口５７０は前面が開放されたパイプ状を呈し、搾り汁及び搾りカスが排出されやすいように構成されている。
【００５０】
ハウジング５００の底面には後述するスクリュー２００の回転につれて前記搾りカス下降孔５８０に搾りカスを導く搾りカス排出傾斜面５９０が形成される（図１０参照）。なお、ハウジング５００の底面の中央には本体の駆動軸が貫通される貫通孔５５１が形成された放水円筒５５０が上方に突設される。
【００５１】
円滑な搾りカスの排出のために、搾りカス排出傾斜面５９０は、ハウジング５００の底面の所定の個所から始まって搾りカス下降孔５８０で終わるように形成され、円弧状を呈する。
【００５２】
また、円滑な搾りカスの排出のために、搾りカス排出傾斜面５９０は搾りカス下降孔５８０に進むにつれて次第に深さは深くなるとともに幅は広くなるように形成される。
【００５３】
蓋体１００は、ハウジング５００の開放された上面を覆うように下部が広い形状に製作されて下面が開放されており、上面の一方の側には材料が投入できるように上部に突設され、上面が開放された円筒状の材料投入口１１０が蓋体１００の開放された下面まで貫設されている。
【００５４】
このような蓋体１００の下面の中心には、スクリュー２００の上部回転軸２１０が嵌め込まれる回転軸孔１２０が形成される。回転軸孔１２０は、蓋体１００の中心に形成されることが好ましく、投入口１１０は回転軸孔１２０が配設された中心から所定の距離だけ偏った個所に形成して円滑なスクリュー２００の回転及び材料の投入を図る。
【００５５】
また、蓋体１００の下端の周縁には複数の結着爪１３０が突設され、材料を押し付けなくても材料が自動的に投入されるように蓋体１００の下部面にスクリュー２００の回転方向に沿って傾斜面（図示せず）が形成される。
【００５６】
このように、蓋体１００の下端の外側周縁に複数の結着爪１３０が突設され、ハウジング５００の上端の内部面に複数の結着突起５１０が形成され、結着突起５１０が結着爪１３０に係合することにより、図３に示すように、蓋体１００がハウジング５００に着脱自在に係合される。
【００５７】
網ドラム３００は、図３に示すように、ハウジング５００の内部に取り付けられ、図１に示すように、上面が開放されており、上広下狭の形状を呈する。
【００５８】
すなわち、前記網ドラム３００及び前記回転ブラシ４００は上面及び下面が開放されており、上面から下面に進むにつれて次第に狭くなるような形状を呈する。好ましくは、前記網ドラム３００の上面の外径は前記回転ブラシ４００の上面の内径に等しいかそれよりも小さい。また、網ドラム３００の下面の外径は前記回転ブラシ４００の下面の内径に等しいかそれよりも小さい。このため、前記網ドラム３００と前記回転ブラシ４００との係合は、網ドラム３００が前記回転ブラシ４００の上部から前記回転ブラシ４００の下部に向かって嵌め込まれて行われる。これ同様に、前記回転スクリュー２００も、網ドラム３００の上部から回転ブラシ４００の下部に向かって嵌め込まれる。このため、例えば、ハウジング５００の開放された上面に回転ブラシ４００を嵌め込み、回転ブラシ４００の開放された上面から回転ブラシ４００の内部に網ドラム３００を嵌め込み、網ドラム３００の開放された上面から網ドラム３００の内部に回転スクリュー２００を嵌め込むことにより、回転ブラシ４００と、網ドラム３００及び回転スクリュー２００をいずれも同じ方向にこの順に組み立てるので果汁搾り装置が手軽に組み立てられる。
【００５９】
このような網ドラム３００の側壁は、粉砕された材料から搾り出された搾り汁が通過できるように網構造を有するが、下部に進むにつれて材料が小さくなるので、上部から下部に進むにつれて網目３２０が次第に小さくなるようにすることが好ましい。
【００６０】
また、例えば、網ドラム３００の中間部を網構造ではない密閉構造に形成すると、網ドラム３００の中間の高さで材料が微細に粉砕されるので、粉砕される過程で搾りカスが網目３２０に抜け出ながら網目に詰まったり搾り汁の内部に混入したりすることを防ぐことができてきれいな搾り汁が得られる。
【００６１】
網ドラム３００の内壁には所定の間隔を隔てて鉛直方向の壁面刃３１０が突設されるが、壁面刃３１０は長いもの及び短いものが形成されることが好ましい。なお、材料がスクリュー２００により下部に移送されることにより細かく破砕されるように壁面刃３１０は突出高さが下部に進むにつれて次第に低くなるように形成されることが好ましい。
【００６２】
密閉構造に形成された網ドラム３００の中間部の内側面には、壁面刃３１０に加えて、多数の粉砕刃（図示せず）が突設されることがさらに好ましい。
【００６３】
このような構成を有する網ドラム３００は、壁面刃３１０に沿って中間部に移送された材料が多数の粉砕刃のある中間部において微細に粉砕され、例えば、豆乳を作る場合に一部の豆乳は上部の網目３２０を介して網ドラム３００の外部に排出され、残りの豆乳は微細に粉砕されて下部の網目３２０を介して網ドラム３００の外部に排出され、搾りカスは開放された下面を介して排出される。
【００６４】
本発明においては、従来（大韓民国登録特許第０７９３８５２号参照）のように網ドラムの下端を構成する底面リングの一部に形成され、ハウジングの搾りカス下降孔に嵌め込まれて連通される網ドラム排出孔に搾りカスが排出されるわけではなく、搾りカスが排出されるように網ドラム３００の下面が開放されているため、構成要素の組み立てが終わると、図３及び図１０に示すように、ハウジング５００の底面に形成された前記搾りカス下降孔５８０が後述するスクリュー２００の下面に直接的に臨む。なお、搾りカス下降孔５８０がスクリュー２００の下面に直接的に臨むとともに、前記搾りカス排出傾斜面５９０もスクリュー２００の下面に直接的に臨む。このような構造は、従来の果汁搾り装置に比べて非常に多くのメリットを有する。
【００６５】
従来の果汁搾り装置は、網ドラムの下端の内側の底面リングに網ドラム排出孔が形成されており、網ドラム排出孔がハウジングの搾りカス下降孔に連通されるように組み立てることを余儀なくされていた。これにより、網ドラム排出孔に搾りカスが通過した後、ハウジングの搾りカス下降孔に排出されなければならなかったため、繊維質が長い材料や繊維質が強い材料の搾りカスは網ドラム排出孔を円滑に通過しにくく、搾りカスの排出が円滑に行われず、しかも、搾汁しにくかった。なお、ハウジングに網ドラムを組み付ける際に網ドラム排出孔とハウジングの搾りカス下降孔を正確に整合させて組み立てなければならないため煩雑であった。
【００６６】
これに対し、網ドラム３００の開放された下面を介して搾りカスを排出する構造を採択する本発明は、このような問題を有さない。
【００６７】
このような構造の他のメリットは、搾り汁中に搾りカスが混入しないためきれいな搾り汁が得られるということである。
【００６８】
従来（大韓民国登録特許第０７９３８５２号参照）には、ハウジングの防水円筒の周りの底面に圧力排出路が形成されて搾り汁排出口と連通されるように構成されていた。これは、搾汁過程で網ドラムの外部に排出されずに網ドラムの底面リングの端部を超えて防水円筒５５０の周りに押された一部の水分（搾り汁）が防水円筒５５０を超えて貫通孔５５１と駆動軸との間の隙間を介してハウジング５００の外部に流出されるため、本体のモーターや減速器を汚染させる虞があることや、本体の外部の表面に搾り汁が漏れる虞があることを防ぐためである。ところが、網ドラムの底面リングの端部を超えて防水円筒の周りに押されるのは搾り汁だけではなく、網ドラム排出孔に排出されない搾りカスの一部も含まれていた。
【００６９】
これにより、圧力排出路を介して一部の搾りカスが搾り汁排出口に抜け出て搾り汁中に搾りカスが混入する場合があった。
【００７０】
しかしながら、本発明は、ハウジング５００の底面に形成された搾りカス下降孔５８０が網ドラム排出孔なしにスクリュー２００の下面に直接的に臨むように形成されるため、防水円筒５５０の周りに押された一部の水分（搾り汁）があっても搾りカス下降孔５８０を介して円滑に排出されるので、水分（搾り汁）の排出のために搾り汁排出口５６０と連通される圧力排出路が不要である。これにより、搾り汁中に搾りカスが混入する虞はなく、その結果、搾りカスのないきれいな搾り汁が得られる。
【００７１】
回転ブラシ４００は、ハウジング５００の内壁と網ドラム３００の外壁との間に取り付けられ、上下面が開放されており、回転しながらハウジング５００の内壁と網ドラム３００の外壁を持続的に掃き清めるように構成されている。
【００７２】
このような回転ブラシ４００は、ブラシ本体４３０と、ハウジングブラシ４２０と、網ブラシ４１０と、を備えることが好ましい。
【００７３】
回転ブラシ４００は、網ドラム３００の外壁からの離隔距離の観点からみていくつかの変形が可能であるが、例えば、上部から下部に亘って網ドラムの外壁からの離隔距離が一定になるように形成される。この場合、網ブラシ４１０は、網ドラム３００の上部に接する部分及び下部に接する部分が略同じ幅を有して網ドラム３００の外壁の上部から下部に亘って均一な弾力にて掃き清めることができるという効果がある。
【００７４】
あるいは、図示のように、回転ブラシ４００は、上部よりは下部において網ドラム２００の外壁からの離隔距離が短くなるような形状を有する。この場合、網ブラシ４１０は網ドラム３００の上部に接する部分よりは下部に接する部分の方がさらに狭い幅を有して搾りカスが多量発生する部分である網ドラム３００の外壁の下部を上部よりも強い弾力にて掃き清めることができるという効果がある。
【００７５】
また、強い弾力にて掃き清める必要がある網ドラム３００の外壁の下部に接する網ブラシ４１０の幅を網ドラム３００の外壁の上部に接する網ブラシ４１０の幅に等しくするか、あるいは、それよりも小さくするために、回転ブラシ４００が上広下狭の形状を呈する。図１に示して上述したように、果汁搾り装置の組み立てに際してハウジング５００に回転ブラシ４００を取り付けた状態で網ドラム３００を回転ブラシ４００の上側から回転ブラシ４００の内部に押し込むことはできるものの、その反対の場合、すなわち、網ドラム３００をハウジング５００に取り付けた状態で回転ブラシ４００を網ドラム３００の上側から網ドラム３００の外部を取り囲むように押し込むことはできないように形成されることが好ましい。
【００７６】
ブラシ本体４３０の側壁の上部は密閉されており、側壁の中間部及び下部は一部が開放されている。
【００７７】
すなわち、ブラシ本体４３０は、回転ブラシフレーム４３１と、支持浅４３３と、連結部４３５と、を備える。
【００７８】
回転ブラシフレーム４３１は、上下面が開放されたリング状を呈し、ブラシ本体４３０の上端を構成する。
【００７９】
複数の支持浅４３３は互いに間隔を隔てて配置され、各支持浅４３３は回転ブラシフレーム４３１に下方から連結されるが、上部から下部に進むにつれてスクリュー２００側に入り込まれるように傾いている。この実施形態において、支持浅４３３は４つ配設されているが、本発明はこれに何ら限定されない。
【００８０】
連結部４３５は上下面が開放されたリング状を呈し、複数の支持浅４３３の先端を互いに連結し、ブラシ本体４３０の下端を構成する。
【００８１】
支持浅４３３及び連結部４３５によりブラシ本体４３０の側壁の一部が開放された形状を呈する。
【００８２】
ハウジングブラシ４２０はブラシ本体４３０の外壁に配置されており、ブラシ本体４３０の上部及びスクリュー２００の回転方向を基準として前方に傾くように配置されている。
【００８３】
すなわち、ハウジングブラシ４２０は支持浅４３３の外面に支持浅４３３に沿って形成されて上部から下部に進むにつれてスクリュー２００側に入り込まれるように傾設されており、下部に進むにつれて外側にさらに突設されて、ハウジング５００の内壁を持続的に掃き清める。この実施形態において、ハウジングブラシ４２０は向かい合うように配置された２本の支持浅４３３にのみ形成されているが、本発明はこれに何ら限定されない。
【００８４】
このように、ハウジングブラシ４２０は、ブラシ本体４３０の上部及びスクリュー２００の回転方向を基準として前方に傾くように配置されており、ハウジングブラシ４２０により掃き清められる材料が鉛直方向に円滑に流下する。
【００８５】
網ブラシ４１０はブラシ本体４３０の内壁に配置されるが、ブラシ本体４３０の上部及びスクリュー２００の回転方向を基準として前方に傾くように配置されている。
【００８６】
すなわち、網ブラシ４１０は支持浅４３３の内面に支持浅４３３に沿って形成され、上部から下部に進むにつれてスクリュー２００側に入り込まれるように傾設されて、網ドラム３００の外壁を持続的に掃き清める。
【００８７】
このように、網ブラシ４１０はブラシ本体４３０の上部及びスクリュー２００の回転方向を基準として前方に傾くように配置されており、網ブラシ４１０により掃き清められる材料が鉛直方向に円滑に流下する。
【００８８】
このような網ブラシ４１０は、図１及び図３に示すように、網ドラム３００に形成された上部の網目３２０の部分を引っ掻くろ過網ブラシ４５０と、網ドラム３００に形成された下部の網目３２０の部分を掃き清める圧縮網ブラシ４６０と、を備えることが好ましい。
【００８９】
この実施形態において、ろ過網ブラシ４５０及び圧縮網ブラシ４６０は互いに連結されているが、本発明はこれに何ら限定されるものではなく、互いに所定の間隔を隔てて配置されてもよい。なお、網ブラシ４１０及びハウジングブラシ４２０は一体形に形成されてもよい。
【００９０】
スクリュー２００の上端の中心には、図１に示すように、上部回転軸２１０が形成され、上部回転軸２１０は蓋体１００の回転軸孔１２０に嵌め込まれて回転する。スクリュー２００の外側面には複数の螺旋２２０が形成される。
【００９１】
スクリュー２００の下部の中心には、図３に示すように、駆動軸孔２３０付き下部回転軸２４０が配設される。
【００９２】
スクリュー２００の下面には、組み立てに際して搾りカス排出傾斜面５９０に臨む個所に円形に突出された排出リング２２４が形成され、前記排出リング２２４の表面には排出爪２２５が形成されている。このような排出爪２２５は、網ドラム３００の開放された下面を介して排出されてハウジング５００の底面に存在する搾りカスを搾りカス排出傾斜面５９０に導いて最終的には搾りカス下降孔５８０に排出する。
【００９３】
このとき、搾りカス排出傾斜面５９０が形成されているため、スクリュー２００が駆動軸により回転する際にスクリュー２００下面とハウジング５００の底面との間の搾りカスを搾りカス下降孔５８０まで円滑に移送することが可能である。また、搾りカス排出傾斜面５９０が搾りカス下降孔５８０に進むにつれて次第に深さは深くなるとともに幅は広くなるように形成されるので、さらに円滑に搾りカスを移送することが可能である。
【００９４】
一方、回転ブラシ４００は、ハウジング５００及び網ドラム３００を効果的に掃き清めるために回転自在に配設されることが好ましく、このために、下記の構造を有する。
【００９５】
基本的に、本発明においては、回転ブラシ４００の回転駆動のために、ギアなどを介さずにスクリュー２００に回転ブラシ４００を直結してスクリュー２００の回転をそのまま回転ブラシ４００に伝える。
【００９６】
スクリュー２００及び回転ブラシ４００間の簡単な直結方法としては、例えば、図１に示すように、スクリュー２００の上部にはスクリュー係合突起またはスクリュー係合溝が形成され、回転ブラシ４００の上部には回転ブラシ係合溝または回転ブラシ係合突起が形成されて、スクリュー係合突起と回転ブラシ係合溝とが係合するか、あるいは、スクリュー係合溝と回転ブラシ係合突起とが係合することにより、スクリュー２００の回転につれて回転ブラシ４００も回転するようにすることが挙げられる。
【００９７】
しかしながら、連結方式として上記の係合溝及び係合突起を活用することは単なる一例に過ぎず、スクリュー２００及び回転ブラシ４００を直結する任意の方式が採用可能であるということはいうまでもない。
【００９８】
さらに具体的に、図１に示す実施形態によれば、スクリュー２００に延在部２５１が形成される。すなわち、この実施形態によれば、スクリュー２００の上端の中心に形成された上部回転軸２１０から半径方向に延在部２５１が延設されており、延在部２５１の先端には外側に突出されたスクリュー係合突起２５０が形成されている。回転ブラシ４００との連結のためのものであるという点で延在部２５１の数は一つで十分であるが、スクリュー２００及び回転ブラシ４００の回転安定性を考慮して隣り合う延在部２５０間の角度が等角になるように複数形成することが好ましい。
【００９９】
延在部２５１は、側面部が外側に円弧状に突出されることが好ましく、特に、上部回転軸２１０の両側に配置された延在部２５１は互いに反対側に配置された側面部の外側に突出されている。延在部２５１は、網ドラムの内部に流入した材料を１次的に切断する役割も果たす。
【０１００】
回転ブラシ４００のブラシ本体４３０の上端にはスクリュー係合突起２５０が嵌合する回転ブラシ係合溝４７０が形成されているが、この実施形態においては、ブラシ本体４３０の回転ブラシフレーム４３１の上端に２本の回転ブラシ係合溝４７０が形成されている。
【０１０１】
このような構成を有する回転ブラシ係合溝４７０にスクリュー係合突起２５０が図２に示すように係合することにより、スクリュー２００の回転につれて回転ブラシ４００も回転する。
【０１０２】
このとき、回転ブラシフレーム４３１の上端に形成された回転ブラシ係合溝４７０に延在部２５１の先端のスクリュー係合突起２５０が係合することにより、スクリュー２００から回転ブラシ４００へと伝わるトルク回転力が大きいという効果がある。
【０１０３】
このように、簡単な回転ブラシ係合溝４７０とスクリュー係合突起２５０との係合構造によりスクリュー２００の回転につれて回転ブラシ４００も回転させることにより、回転ブラシ４００を回転させるために中間ギアなどを使用する従来のジューサーよりも内部に組み込まれる部品の点数を大幅に低減することができる。
【０１０４】
また、スクリュー２００により回転ブラシ４００を直接的に回転させることにより、複雑なギア噛合構造ではないため、ギアなどの部品の破損や磨耗による故障率を下げることができる。
【０１０５】
さらに、部品の形状が複雑ではなく単純であるため、部品の組み立てに際してギアとギアがずれることなく噛み合うように組み立てなければならないという煩わしさがなく、手軽に組み立てることができてユーザーの使い勝手を向上させることができる。
【０１０６】
さらにまた、スクリューの下部に形成されたギア構造と、ハウジングの底面に固定される中間ギアと、回転ブラシホルダーの下部に形成されたギアなどがなくなるので部品の形状が簡潔であり、しかも、部品を手軽に掃除することができるので常に衛生的に且つ清潔に果汁搾り装置を使用することができる。
【０１０７】
加えて、従来には搾りカスが網ドラムに配設された網ドラム排出孔を経由したが、本発明においては網ドラム３００内の搾りカスが網ドラム３００の広く開放された下面に排出されて搾りカス下降孔５８０に排出されることにより、繊維質がない材料や繊維質が強い材料の場合にも搾りカスの排出が円滑に行われて搾汁しやすい。
【０１０８】
また、従来には、網ドラム排出孔を搾りカス下降孔と連通させるべくハウジングに網ドラムを係合する際に正確な位置合わせを行うことを余儀なくされたが、本発明においては、方向性なく迅速且つ手軽に網ドラムをハウジングに組み付けることができてユーザーの使い勝手が向上する 。
【０１０９】
さらに、従来の圧力排出路が不要になるので搾りカスのないきれいな搾り汁が得られる。
【０１１０】
一方、スクリュー２００の回転につれて回転ブラシ４００も回転する構造の他の実施形態を図４から図６に示す。
【０１１１】
図４に示すように、スクリュー２００の上部にリング状のスクリューフレーム２６０が形成されている。
【０１１２】
すなわち、リング状のスクリューフレーム２６０は延在部２５１の両先端を連結しながら形成されており、スクリューフレーム２６０の下端には下部に突出するようにスクリュー係合突起２５０が形成されている。
【０１１３】
このような構成を有することにより、図５及び図６に示すように、スクリューフレーム２６０はブラシ本体４３０の回転ブラシフレーム４３１の上部に載置され、このとき、スクリュー係合突起２５０が回転ブラシ係合溝４７０に係合することにより、スクリュー２００の回転につれて回転ブラシ４００も回転する。
【０１１４】
一方、スクリュー２００の回転につれて回転ブラシ４００も回転する構造のさらに他の実施形態を図７から図９に示す。
【０１１５】
図７に示すように、回転フレーム６００は網ドラム３００の上部の外側を取り囲んでリング状に形成されており、図８に示すように、回転フレーム６００の下端が回転ブラシ４００の上端に載置される。
【０１１６】
スクリュー２００の上部にはスクリュー係合突起またはスクリュー係合溝が形成され、回転フレーム６００の上部には第１の回転フレーム係合溝または第１の回転フレーム係合突起が形成されて、スクリュー係合突起と第１の回転フレーム係合溝とが係合するか、あるいは、スクリュー係合溝と第１の回転フレーム係合突起とが係合する。
【０１１７】
さらに、回転フレーム６００の下部には第２の回転フレーム係合突起または第２の回転フレーム係合溝が形成され、回転ブラシ４００の上部には回転ブラシ係合溝または回転ブラシ係合突起が形成されて、第２の回転フレーム係合突起と回転ブラシ係合溝とが係合するか、あるいは、第２の回転フレーム係合溝と回転ブラシ係合突起とが係合することにより、スクリュー２００の回転につれて回転フレーム６００及び回転ブラシ４００も回転する。
【０１１８】
この実施形態においては、スクリュー２００の上端の中心に形成された上部回転軸２１０を基準として上部回転軸２１０の両側に長く延在部２５１が延設されており、延在部２５１の先端には外側に突出されたスクリュー係合突起２５０が形成されている。
【０１１９】
網ドラム３００の上部の外側には回転フレーム６００がリング状に形成されており、回転フレーム６００の外壁は網ドラム３００の外壁よりも外側にさらに突出されている。なお、回転フレーム６００の内側及び網ドラム３００の外側は所定の間隔を隔てて隔設されている。
【０１２０】
このような回転フレーム６００の上端にはスクリュー係合突起２５０が嵌合する回転フレーム係合溝６１０が形成されており、回転フレーム６００の下端には下部に突出された回転フレーム係合突起６３０が形成されている。
【０１２１】
回転ブラシ４００のブラシ本体４３０の上端には、回転フレーム係合突起６３０が嵌合する回転ブラシ係合溝４７０が形成されている。
【０１２２】
このような構成を有することにより、図８及び図９に示すように、スクリュー係合突起２５０が回転フレーム係合溝６１０に嵌合し、回転フレーム６００はブラシ本体４３０の回転ブラシフレーム４３１の上部に載置され、このとき、回転フレーム係合突起６３０が回転ブラシ係合溝４７０に係合することにより、スクリュー２００の回転につれて回転フレーム６００及び回転ブラシ４００も回転する。
【０１２３】
このように、回転ブラシ４００の上部に載置される回転フレーム６００により回転ブラシ４００の上部を密閉することができるので、搾り汁が網ドラム３００の外部に漏れ出ることを防ぐことができるという効果が得られる。
【０１２４】
以下、このような構成を有する本発明の実施形態による果汁搾り装置の作動について説明する。
【０１２５】
図３に基づいて説明すると、蓋体１００の投入口１１０に材料が投入されると、スクリュー２００の回転により材料が蓋体１００の下面に形成された傾斜面に沿って網ドラム３００の内部に流入する。
【０１２６】
網ドラム３００の内部に流入した材料は、スクリュー２００の回転及び壁面刃３１０により下方に強制的に移送されながら次第に細かく粉砕され、且つ、押し潰されながら圧縮されるが、この過程で生成された搾り汁は網ドラム３００の外壁の網目３２０を介して網ドラム３００の外部に流出されて搾り汁排出口５６０を介して排出される。
【０１２７】
スクリュー２００の回転により網ドラム３００の開放された下面まで達した搾りカスは、スクリュー２００の下端面の排出リング２２４に形成された排出爪２２５に押されて搾りカス排出傾斜面５９０により導かれ、搾りカス下降孔５８０に抜け出て搾りカス排出口５７０を介して果汁搾り装置の外部に排出される。
【０１２８】
材料が網ドラム３００の壁面刃３１０に沿って強制的に移送される過程で生成された搾り汁は、密閉された中間部の上部に形成された網目３２０を介して外部に流出され、多数の粉砕刃を有する密閉構造に形成された中間部の内側面において微細に粉砕される過程で生成された搾り汁は、密閉された中間部の下部に形成された網目３２０を介して搾り汁排出口５６０に排出される。
【０１２９】
また、ハウジング５００の内部においてスクリュー２００及び網ドラム３００が垂直に組み立てられて作動するので、水平に組み立てられて作動する従来の搾汁機に比べて下方に移送される速度が速く、しかも、ハウジング５００の内部の搾り汁が溜まることなく流下しやすくなる。
【０１３０】
上述したように、本発明は限定された実施形態及び図面によって説明されたが、本発明はこれに限定されるものではなく、本発明が属する技術分野において通常の知識を有する者によって本発明の技術思想と、後述する特許請求の範囲の均等範囲内において、種々に修正及び変形可能であるということはいうまでもない。
【符号の説明】
【０１３１】
１００  蓋体、
１１０  材料投入口
１２０  回転軸孔、
１３０  結着爪
２００  スクリュー
２１０  上部回転軸
２２０  螺旋
２２４  排出リング
２２５  排出爪
２３０  駆動軸孔
２４０  下部回転軸
２５０  スクリュー係合突起
２５１  延在部
２６０  スクリューフレーム
３００  網ドラム
３１０  壁面刃
３２０  網目
４００  回転ブラシ
４１０  網ブラシ
４２０  ハウジングブラシ
４３０  ブラシ本体
４３１  回転ブラシフレーム
４３３  支持浅
４３５  連結部
４７０  回転ブラシ係合溝
５００  ハウジング
５１０  結着突起
５５０  防水円筒
５５１  貫通孔
５６０  搾り汁排出口
５７０  搾りカス排出口
５８０  搾りカス下降孔
５９０  搾りカス排出傾斜面
６００  回転フレーム
６１０  回転フレーム係合溝
６３０  回転フレーム係合突起
【図１】
0005876619.tif 000002
【図２】
0005876619.tif 000003
【図３】
0005876619.tif 000004
【図４】
0005876619.tif 000005
【図５】
0005876619.tif 000006
【図６】
0005876619.tif 000007
【図７】
0005876619.tif 000008
【図８】
0005876619.tif 000009
【図９】
0005876619.tif 000010
【図１０】
0005876619.tif 000011